(57)【要約】【課題】仕様の異なった製品を製造する場合でも、ボディを共通部品として使用することができて、製造コストの低減を図ることができるようにすること。【解決手段】シングルレバー水栓の外套体１２を、水栓設置部１３の上面に固定される台座１４Ａと、バルブユニット１５を収容するボディ１６とに分割して構成する。ボディ１６を有底円筒状に形成し、そのボディ１６の周壁及び底壁に選択使用可能な吐水孔３０，３１を貫設する。【選択図】図２
2015096753.tif 000002
【特許請求の範囲】
【請求項１】
シングルレバー水栓用のボディであって、その周壁に第１吐水孔を、底壁に第２吐水孔と一対の流入孔とをそれぞれ貫設し、前記第２吐水孔の内周にネジを形成し、下部外周にアダプタ取付用の雄ネジを形成したシングルレバー水栓用のボディ。
【請求項２】
前記周壁の外周に複数のフランジを形成し、そのフランジ間に前記第１吐水孔を配置した請求項１に記載のシングルレバー水栓用のボディ。
【請求項３】
上部には、バルブユニットを収容可能な凹部を形成した請求項１または２に記載のシングルレバー水栓用のボディ。
【請求項４】
請求項１〜３のうちのいずれか一項に記載のシングルレバー水栓用のボディの前記雄ネジに、水栓設置部に設置されるアダプタを取付けたシングルレバー水栓。
【請求項５】
前記アダプタは、水栓設置部の貫通孔内に挿入されるスリーブを備え、そのスリーブには水栓設置部の上面に対向するフランジが形成された請求項４に記載のシングルレバー水栓。
【請求項６】
フランジの下面にはパッキンが設けられる請求項５に記載のシングルレバー水栓。
【発明の詳細な説明】
【技術分野】
【０００１】
この発明は、シングルレバー水栓用のボディ及びシングルレバー水栓に関するものである。
【背景技術】
【０００２】
従来、この種の技術としては、例えば特許文献１に開示される構成が提案されている。
この従来構成においては、水栓ボディの下面に雌ネジ孔が形成され、その雌ネジ孔に螺子軸が螺入される。そして、水栓ボディが水栓設置部の上面にセットされた状態で前記螺子軸に螺合されたナットにより締付体が前記水栓設置部の下面に締め付けられる。このようにして、水栓ボディが水栓設置部の上面に直接固定される。
【先行技術文献】
【特許文献】
【０００３】
【特許文献１】特開２０１１−２５６９５９号公報
【発明の概要】
【発明が解決しようとする課題】
【０００４】
以上のように、従来構成においては、前記ボディが水栓設置部上に直接固定されるため、種類等が異なる水栓設置部に対応するために、仕様の異なるボディを複数種類用意する必要があった。よって、シングルレバー水栓の製造コストが高くなるおそれがあった。
【０００５】
この発明は、このような従来の技術に存在する問題点に着目してなされたものである。その目的は、ボディを共通部品とすることができて、製造コストの低減を図ることができるシングルレバー水栓及びシングルレバー水栓用のボディを提供することにある。
【課題を解決するための手段】
【０００６】
上記の目的を達成するために、このシングルレバー水栓のボディは、その周壁に第１吐水孔を、底壁に第２吐水孔と一対の流入孔とをそれぞれ貫設し、第２吐水孔の内周にネジを形成し、下部外周にアダプタ取付用の雄ネジを形成したことを特徴としている。
【０００７】
従って、このシングルレバー水栓においては、例えば水栓設置部に対する台座の固定構造等が異なった仕様のシングルレバー水栓を複数種類製造する場合でも、各製品仕様に適合する台座を用意すれば、ボディを共通部品として使用することができる。よって、シングルレバー水栓の製造コストを低減することができる。
【発明の効果】
【０００８】
本発明によれば、仕様の異なった製品を製造する場合でも、ボディを共通部品として使用することができて、製造コストの低減を図ることができる。
【図面の簡単な説明】
【０００９】
【図１】一実施形態のシングルレバー水栓の第１製品仕様を示す断面図。
【図２】図１のシングルレバー水栓の一部を拡大して示す断面図。
【図３】シングルレバー水栓のボディを示す斜視図。
【図４】シングルレバー水栓のボディを図３とは異なる角度から見た斜視図。
【図５】シングルレバー水栓のボディを示す断面図。
【図６】シングルレバー水栓のボディを示す底面図。
【図７】図６の７−７線における断面図。
【図８】図５の８−８線における断面図。
【図９】保持金具の底面図。
【図１０】シングルレバー水栓の第２製品仕様を示す断面図。
【図１１】図１０のシングルレバー水栓の一部を拡大して示す断面図。
【図１２】シングルレバー水栓の第３製品仕様を示す断面図。
【図１３】図１２のシングルレバー水栓の一部を拡大して示す断面図。
【発明を実施するための形態】
【００１０】
以下、実施形態を図面に従って説明する。
図１及び図２、図１０及び図１１、図１２及び図１３には、それぞれ第１、第２、第３の３種類の異なった製品仕様のシングルレバー水栓１１Ａ，１１Ｂ，１１Ｃが示されている。これらのシングルレバー水栓１１Ａ〜１１Ｃにおいては、外套体１２が備えられている。この外套体１２は、キッチン流し台等の水栓設置部１３の上面に固定されるアダプタとしての台座１４Ａ，１４Ｂ，１４Ｃと、有底円筒状のボディ１６とに分割して構成されている。ボディ１６は、砲金や黄銅により形成されている。そして、水栓設置部１３に対する固定構造や、ボディ１６からの吐水のための構造が異なった第１〜第３製品仕様のシングルレバー水栓１１Ａ〜１１Ｃにおいては、ボディ１６として共通部品が使用され、台座１４Ａ〜１４Ｃとして別部品が使用されている。
【００１１】
図３〜図８に示すように、ボディ１６の上部には凹部１６２が形成されている。凹部１６２にはバルブユニット１５が収容されている。凹部１６２の周壁内面の上端部には、雌ネジ１７が形成されている。そして、ボディ１６内にバルブユニット１５が収容された状態で、この雌ネジ１７に円筒状の抜け止め部材１８が螺合されることにより、バルブユニット１５が凹部１６２内に保持されている。この状態で、ボディ１６の上端外周に上カバー１９が装着されることにより、ボディ１６の上端外周及びバルブユニット１５の上部が被覆されている。バルブユニット１５の上端には操作レバー２０が突設され、その操作レバー２０には操作ハンドル２１が取り付けられている。そして、この操作ハンドル２１により操作レバー２０が左右方向に回動操作されることにより、バルブユニット１５からの吐水の温度が調節される。また、操作ハンドル２１により操作レバー２０が上下方向に回動操作されることにより、バルブユニット１５からの吐水状態及び止水状態の切換えが行なわれるとともに、吐水の量が調節される。
【００１２】
図３〜図８に示すように、前記ボディ１６の底壁には水流入孔２２及び湯流入孔２３が貫設されるとともに、底壁下面にはネジ孔２４が形成されている。水流入孔２２及び湯流入孔２３には、下側の大径孔部２２１，２３１と、上側の小径孔部２２２，２３２とが設けられている。図１、図２及び図１０〜図１３に示すように、水流入孔２２及び湯流入孔２３の大径孔部２２１，２３１には、給水源及び給湯源から延びる給水管２５及び給湯管２６が接続される。ボディ１６の下面には、給水管２５及び給湯管２６を接続状態に保持するための保持板２７が前記ネジ孔２４にネジ２８を螺合することによって固定される。水流入孔２２及び湯流入孔２３の小径孔部２２２，２３２には、ボディ１６内にバルブユニット１５が収容された状態で、バルブユニット１５の下面に突設された円筒状の水流入口１５１及び湯流入口１５２が嵌着されている。
【００１３】
図４〜図８に示すように、前記ボディ１６の周壁外面の上下３箇所には、それぞれフランジ２９が上下方向に間隔をおいて形成されている。下側の２箇所のフランジ２９間においてボディ１６の周壁には、複数（実施形態では３つ）の第１吐水孔３０が円周方向に狭い間隔をおいて貫設されている。ボディ１６の底壁には、１つの第２吐水孔３１が貫設されている。この第２吐水孔３１には、内周にネジを有する下側の大径雌ネジ部３１１と、ネジを有しない上側の小径孔部３１２とが設けられている。そして、ボディ１６内にバルブユニット１５が収容された状態で、バルブユニット１５の下面に設けられた図示しない吐水口が第１吐水孔３０及び第２吐水孔３１に連通されている。
【００１４】
前記ボディ１６の第１吐水孔３０及び第２吐水孔３１は、異なった製品仕様のシングルレバー水栓１１Ａ，１１Ｂ，１１Ｃに応じて、選択的に使用される。すなわち、第１製品仕様のシングルレバー水栓１１Ａにおいては、図１及び図２に示すように、第２吐水孔３１の大径雌ネジ部３１１にネジ棒３２がその上端ネジ部３２１において螺着されることにより、第２吐水孔３１が閉塞され、第１吐水孔３０側が使用される。この場合、第１吐水孔３０と対応するボディ１６の外周には、蛇口を構成する吐水管３３が基端の環状装着部３３１において回動可能に装着される、そして、上側のフランジ２９と中間部のフランジ２９との間及び下側のフランジ２９の下部において、ボディ１６と環状装着部３３１との間にはパッキン３４が装着されている。従って、第１吐水孔３０からの吐水が吐水管３３を通して外部に放出される。
【００１５】
これに対して、第２及び第３製品仕様のシングルレバー水栓１１Ｂ，１１Ｃにおいては、図１０〜図１３に示すように、上側のフランジ２９と中間部のフランジ２９との間においてボディ１６の周壁外面に円環状の弾性シール部材３５が嵌着されることにより、第１吐水孔３０が閉塞される。一方、第２吐水孔３１側が開放される。この場合、第２吐水孔３１には吐水管３６が、その上端ネジ部３６１を第２吐水孔３１の大径雌ネジ部３１１に螺合することによって接続されている。そして、図１０及び図１１に示す第２製品仕様のシングルレバー水栓１１Ｂにおいては、第２吐水孔３１からの吐水がこの吐水管３６を通して、シングルレバー水栓１１Ｂと別の位置に設置された図示しない蛇口よりなる吐水管から外部に放出される。
【００１６】
また、図１２及び図１３に示す第３製品仕様のシングルレバー水栓１１Ｃにおいては、ボディ１６の下端外周と台座１４Ｃの外周との間に案内管３７が基端の環状装着部３７１において一対のパッキン３８を介して回動可能に装着されている。案内管３７内には、前記吐水管３６に接続された放水ホース３９が延長方向に移動可能に配置されている。放水ホース３９の先端には、シャワー放水と通常放水とに切り替え可能な図示しない放水ヘッドが案内管３７の先端部から引き出し可能に支持されている。そして、第２吐水孔３１からの吐水が吐水管３６及び放水ホース３９を通して、放水ヘッドから放出される。
【００１７】
図１、図２及び図１０〜図１３に示すように、前記台座１４Ａ〜１４Ｃは、水栓設置部１３に形成された貫通孔１３１に対向状態で設置されるスリーブ４０を備えている。スリーブ４０は、水栓設置部１３の上面に対向するフランジ４２を備え、そのフランジ４２の下面と水栓設置部１３との間にパッキン４１が介在されている。スリーブ４０の内周には、ボディ１６の下端外周の雄ネジ１６１に螺合する雌ネジ４０１が形成されている。
【００１８】
図１及び図２に示すように、第１製品仕様のシングルレバー水栓１１Ａにおいては、台座１４Ａのスリーブ４０が水栓設置部１３の貫通孔１３１の上端に嵌合して位置決めを行ない得る程度に短く形成されている。ボディ１６の第２吐水孔３１に取り付けられたネジ棒３２の下端ネジ部３２２には、水栓設置部１３の下面側から図９に示す保持金具４３が嵌着されている。そして、この保持金具４３がナット４３１によって水栓設置部１３の下面に圧接されることにより、シングルレバー水栓１１Ａが水栓設置部１３上に安定状態に固定される。ボディ１６の上部外周にはカバー４５が装着されている。
【００１９】
図１０及び図１１に示すように、第２製品仕様のシングルレバー水栓１１Ｂにおいては、台座１４Ｂのスリーブ４０が水栓設置部１３の貫通孔１３１を通して水栓設置部１３の下方に突出するように長く形成されている。スリーブ４０にはフランジ４２が形成されている。スリーブ４０の外周には、雄ネジ４０２が形成されている。そして、台座１４Ｂのスリーブ４０が水栓設置部１３の貫通孔１３１に挿入された状態で、水栓設置部１３の下面側から雄ネジ４０２に対してナット４４が螺合されて、水栓設置部１３の下面に圧接されることにより、シングルレバー水栓１１Ｂが水栓設置部１３上に安定状態に固定されている。また、この第２製品仕様のシングルレバー水栓１１Ｂにおいては、ボディ１６の下部外周及び台座１４Ｂのフランジ４２の外周を覆うように、ボディ１６の外周にはカバー４５が装着されている。
【００２０】
図１２及び図１３に示すように、第３製品仕様のシングルレバー水栓１１Ｃにおいては、台座１４Ｃのスリーブ４０が上部側スリーブ４０５と下部側スリーブ４０６とに分割されている。ボディ１６の雄ネジ１６１に螺着された上部側スリーブ４０５は、ボディ１６に対する給水管２５、給湯管２６及び吐水管３６の接続部を覆うように長く形成されている。上部側スリーブ４０５の下端には雌ネジ４０３が形成されている。この雌ネジ４０３に下部側スリーブ４０６の雄ネジ４６３が螺着されている。上部側スリーブ４０５及び下部側スリーブ４０６にパッキン４１のためのフランジ４２が形成されている。下部側スリーブ４６は、水栓設置部１３の貫通孔１３１に挿入されている。
【００２１】
下部側スリーブ４０６の外周には雄ネジ４６４が形成されている。そして、下部側スリーブ４０６が水栓設置部１３の貫通孔１３１に挿入された状態で、水栓設置部１３の下面側から下部雄ネジ４６４に対してナット４７が螺合されて、水栓設置部１３の下面に圧接されることにより、シングルレバー水栓１１Ｃが水栓設置部１３上に安定状態に固定される。カバー４５は、ボディ１６の上部側を覆っている。
【００２２】
従って、この実施形態によれば、以下のような作用効果を得ることができる。
（１）この実施形態のシングルレバー水栓においては、水栓設置部１３に対する台座１４Ａ〜１４Ｃの構造等が異なった別仕様のシングルレバー水栓１１Ａ〜１１Ｃを製造する場合でも、各製品仕様に適合する台座１４Ａ〜１４Ｃを用意すれば、ボディ１６を共通部品として使用することができる。よって、シングルレバー水栓１１Ａ〜１１Ｃの製造コストを低減することができる。
【００２３】
（２）前記ボディ１６が有底円筒状に形成され、そのボディ１６の周壁及び底壁に選択使用可能な吐水孔３０，３１が貫設されている。このため、ボディ１６からの吐水構造が異なった別仕様のシングルレバー水栓１１Ａ〜１１Ｃを製造する場合でも、周壁及び底壁に貫設された吐水孔３０，３１を選択的に使用することにより、ボディ１６を共通部品として使用することができて、シングルレバー水栓１１Ａ〜１１Ｃの製造コストを低減することができる。
【００２４】
（３）ボディ１６の上部に、バルブユニット１５を収容可能な凹部１６２がを形成されているため、バルブユニット１５を収容するための別部品が不要になり、部品点数を少なくして、構成の簡素化を図ることができる。
【００２５】
（４）ボディ１６の雄ネジ１６１に取り付けられる台座１４Ａ，１４Ｂ，１４Ｃを構成するアダプタがスリーブ４０よりなるため、水栓設置部１３に対するシングルレバー水栓の設置態様に応じて、長さの異なるスリーブ４０を容易に用意できる。
【００２６】
（５）スリーブ４０の下面にパッキン４１が設けられるため、水栓設置部１３における水密性を容易に確保できる。
（６）スリーブ４０の長さを適宜に設定すれば、水栓を水栓設置部１３の裏面に締め付けるために適する保持金具４３や、ナット４４等を必要に応じて選択できる。
【００２７】
（変更例）
なお、この実施形態は、次のように変更して具体化することも可能である。
・ボディ１６の第１吐水孔３０を横長の孔によって構成すること。
【００２８】
・台座１４Ａ，１４Ｂ，１４Ｃの構成を変更すること。例えば、台座１４Ａ，１４Ｂ，１４Ｃに貫設された孔が水や湯の流路を形成するようにすること。
【符号の説明】
【００２９】
１１Ａ，１１Ｂ，１１Ｃ…シングルレバー水栓、１２…外套体、１３…水栓設置部、１４Ａ，１４Ｂ，１４Ｃ…台座、１５…バルブユニット、１６…ボディ、２０…操作レバー、２１…操作ハンドル、２２…水流入孔、２３…湯流入孔、２５…給水管、２６…給湯管、２９…フランジ、３０…第１吐水孔、３１…第２吐水孔、３２…ネジ棒、３３…吐水管、３５…弾性シール部材、３６…吐水管、３７…案内管、３９…放水ホース、４０…スリーブ、４１…パッキン、４２…フランジ、４３…保持金具、４４…ナット、４５…カバー。
【図１】
2015096753.tif 000003
【図２】
2015096753.tif 000004
【図３】
2015096753.tif 000005
【図４】
2015096753.tif 000006
【図５】
2015096753.tif 000007
【図６】
2015096753.tif 000008
【図７】
2015096753.tif 000009
【図８】
2015096753.tif 000010
【図９】
2015096753.tif 000011
【図１０】
2015096753.tif 000012
【図１１】
2015096753.tif 000013
【図１２】
2015096753.tif 000014
【図１３】
2015096753.tif 000015